(57)【特許請求の範囲】
【請求項１】
梁材と、
前記梁材に取着された複数の台座と、
前記各台座に取付けられた物品支持部材とを有し、前記物品支持部材の載置部上に物品が載置可能なパレットにおいて、
前記物品支持部材には、嵌合空間が設けられているとともに、嵌合突部が前記嵌合空間に形成されており、
前記台座には、透孔が形成されており、
前記嵌合空間に前記台座が嵌合されるとともに、前記透孔に、前記嵌合突部が嵌合されることにより、前記物品支持部材が前記台座から外れないように取付けられていることを特徴とするパレット。
【請求項２】
梁材と、
前記梁材に取着された複数の台座と、
前記各台座に取付けられた物品支持部材とを有し、前記物品支持部材の載置部上に物品が載置可能なパレットにおいて、
前記物品支持部材には、嵌合空間が設けられているとともに、係止突起が形成されており、
前記嵌合空間に前記台座が嵌合されるとともに、前記台座の垂直側面に、前記係止突起が係止されることにより、前記物品支持部材が前記台座から外れないように取付けられていることを特徴とするパレット。
【請求項３】
前記物品支持部材に、前記台座とのガタツキを抑制するガタツキ防止用リブを形成したことを請求項１または請求項２に記載のパレット。
【請求項４】
前記梁部材に、目印部材を取り付けたことを特徴とする請求項１乃至請求項３のいずれかに記載のパレット。
【発明の詳細な説明】
【技術分野】
【０００１】
本発明は、パレットに取り付けられた物品支持具に、物品を載置し、物品を運搬、搬送するためのパレットに関するものである。
【背景技術】
【０００２】
従来、パレットには、物品支持具を、ボルト・ナットより、パレットを構成する梁材に取り付けるために、物品支持具には、案内突起を挟んで、ボルト孔が穿設されたボルト・ナットの取り付け部と、物品が載置される載置部とが形成されている。また、物品支持具を、梁材に取り付けるために、梁材には、アングルが取り付けられており、物品支持具は、アングルに、ボルト・ナットより取り付けられるように構成されている。
【０００３】
上述したような、パレットは、一例として、特許文献１に開示されている。
【０００４】
【特許文献１】特開２００４−５９１５７号公報
【発明の開示】
【発明が解決しようとする課題】
【０００５】
上述したパレットに取り付けられる物品支持具は、案内突起を挟んで、取り付け部と物品が載置される載置部とが形成されているために、物品支持具が大型化し、パレットへの物品支持具の個数が減少したり、物品支持具の製造コストが上昇するという問題があった。
【０００６】
また、物品支持具は、梁材に取り付けられたアングルに、ボルト・ナットより取り付けられるように構成されているために、物品支持具のパレットへの取り付けに時間と労力が係るという問題があった。
【０００７】
本発明の目的は、上述した従来のパレットが有する課題を解決するとともに、パレットに載置されるトレーを提供することにある。
【課題を解決するための手段】
【０００８】
本発明は、上述した目的を達成するために、
梁材と、
前記梁材に取着された複数の台座と、
前記各台座に取付けられた物品支持部材とを有し、前記物品支持部材の載置部上に物品が載置可能なパレットにおいて、
前記物品支持部材には、嵌合空間が設けられているとともに、嵌合突部が前記嵌合空間に形成されており、
前記台座には、透孔が形成されており、
前記嵌合空間に前記台座が嵌合されるとともに、前記透孔に、前記嵌合突部が嵌合されることにより、前記物品支持部材が前記台座から外れないように取付けられていることを特徴とする。
また、梁材と、
前記梁材に取着された複数の台座と、
前記各台座に取付けられた物品支持部材とを有し、前記物品支持部材の載置部上に物品が載置可能なパレットにおいて、
前記物品支持部材には、嵌合空間が設けられているとともに、係止突起が形成されており、
前記嵌合空間に前記台座が嵌合されるとともに、前記台座の垂直側面に、前記係止突起が係止されることにより、前記物品支持部材が前記台座から外れないように取付けられていることを特徴とする。
また、前記物品支持部材に、前記台座とのガタツキを抑制するガタツキ防止用リブを形成してもよく、また、前記梁部材に、目印部材を取り付けてもよい。
【発明の効果】
【０００９】
梁材と該梁材に取着された台座とを有するパレットにおいて、梁材に取着された台座に形成された透孔に、物品支持部材に形成された嵌合突部を嵌合することにより、物品支持部材を梁材に取り付けるように構成したので、物品支持部材を、ボルト・ナット等により取着することがないので、物品支持部材のパレットへの取り付け作業を、簡単に、且つ、迅速に行なうことができるので、物品支持部材のパレットへの取り付け作業の作業性が向上する。
【００１０】
梁材と該梁材に取着された台座とを有するパレットにおいて、物品支持部材に形成された係止突起を、台座の垂直側面に係止することにより、物品支持部材を梁材に取り付けるように構成したので、物品支持部材を、ボルト・ナット等により取着することがないので、物品支持部材のパレットへの取り付け作業を、簡単に、且つ、迅速に行なうことができるので、物品支持部材のパレットへの取り付け作業の作業性が向上する。
【００１１】
物品支持部材に、台座のガタツキを抑制するガタツキ防止用リブを形成したので、台座に取り付けられた物品支持部材のガタツキを抑制することができ、ひいては、物品支持部材に載置された物品のガタツキを抑制することができる。
【００１２】
梁部材に、目印部材を取り付けるようにしたので、裏面に、溝や凹部が形成されている物品のパレットへの載置を、確実に、且つ、迅速に行なうことができる。
【図面の簡単な説明】
【００１３】
【図１】図１は、本発明のパレットの斜視図である。
【図２】図２は、本発明のパレットに配設される物品支持部材の斜視図である。
【図３】図３は、同じく、本発明のパレットに配設される物品支持部材の斜視図である。
【図４】図４は、同じく、本発明のパレットに配設される物品支持部材の斜視図である。
【図５】図５は、本発明のパレットに配設される物品支持部材の一部断面を含む斜視図である。
【図６】図６は、本発明のパレットを構成する梁材と物品支持部材の一部断面を含む斜視図である。
【図７】図７は、物品支持部材が台座に取り付けられた状態の一部断面を含む本発明のパレットの斜視図である。
【図８】図８は、同じく、物品支持部材が台座に取り付けられた状態の一部断面を含む本発明のパレットの斜視図である。
【図９】図９は、本発明のパレットの斜視図である。
【図１０】図１０は、本発明のパレットに載置される、一例としての物品の斜視図である。
【図１１】図１１は、本発明のパレットの別の実施例の斜視図である。
【図１２】図１２は、同じく、本発明のパレットの別の実施例の斜視図である。
【図１３】図１３は、同じく、本発明のパレットの別の実施例の一部断面を含む斜視図である。
【図１４】図１４は、本発明のパレットの別の実施例に物品が載置された状態の斜視図である。
【図１５】図１５は、本発明のパレットの別の実施例に物品が載置された状態の垂直断面図である。
【図１６】図１６は、本発明のパレットの更に別の実施例の図７と同様の物品支持部材が台座に取り付けられた状態の一部断面を含む本発明のパレットの斜視図である。
【発明を実施するための形態】
【００１４】
以下に、本発明の実施例について説明するが、本発明の趣旨を越えない限り、何ら本実施例に限定されるものではない。
【００１５】
先ず最初に、図１を用いて、物品支持部材等が取り付けられるパレットについて説明する。
【００１６】
Ｐは、後述する物品支持部材が設置されるパレットであり、パレットＰは、金属や合成樹脂で形成された複数の梁材により構成されている。以下に、一例として、複数の梁材により構成されたパレットＰについて説明する。
【００１７】
パレットＰは、相対する外側梁材ｐ１と、相対する外側梁材ｐ１を架橋する相対する架橋梁材ｐ２と、相対する架橋梁材ｐ２を架橋する、外側梁材ｐ１と平行な内側梁材ｐ３とを有しており、また、外側梁材ｐ１の上面及び外側梁材ｐ１と相対する内側梁材ｐ３の上面には、透孔ｐ４ａが穿設された板状の台座ｐ４が取着されている。なお、透孔ｐ４ａが、外側梁材ｐ１や内側梁材ｐ３により、塞がれないように構成されている。本実施例においては、外側梁材ｐ１に所定の間隙を置いて、２個の台座ｐ４が配設され、また、内側梁材ｐ３には、外側梁材ｐ１配設された２個の台座ｐ４に対応して、２個の台座ｐ４が配設されている例が示されている。
【００１８】
次に、図２〜図５を用いて、物品支持部材Ｈ１について説明する。
【００１９】
物品支持部材Ｈ１は、略水平状の載置部Ｈ１ａと、載置部Ｈ１ａの一端部に形成された略垂直な位置決め部Ｈ１ｂとから、側面形状が、略Ｌ状に形成されている。
【００２０】
物品支持部材Ｈ１は、最上水平板部ｈ１ａと、最上水平板部ｈ１ａの一端から下方に延在する上部傾斜板部ｈ１ｂと、上部傾斜板部ｈ１ｂから下方に延在する上部垂直板部ｈ１ｃと、上部垂直板部ｈ１ｃの下方に位置するアール状板部ｈ１ｄと、アール状板部ｈ１ｄに続く載置水平板部ｈ１ｅと、載置水平板部ｈ１ｅから下方に延在する下部傾斜板部ｈ１ｆとを有しており、最上水平板部ｈ１ａと上部傾斜板部ｈ１ｂと上部垂直板部ｈ１ｃとアール状板部ｈ１ｄと載置水平板部ｈ１ｅと下部傾斜板部ｈ１ｆとにより、物品支持部材Ｈ１の上板ｈ１が形成されている。ｈ２は、相対する側板であり、ｈ３は、下部傾斜板部ｈ１ｆから下方に延在する垂直状の前板である。また、側板ｈ２に、切欠部ｈ２ａを形成することにより、側板ｈ２には、前板ｈ３側に位置する側板垂下部ｈ２ｂが形成されている。更に、ｈ４は、相対する側板ｈ２の側板垂下部ｈ２ｂと前板ｈ３とに架橋された底板である。
【００２１】
上述した物品支持部材Ｈ１の上板ｈ１を形成する上部傾斜板部ｈ１ｂは、後述のように、パレットＰに物品支持部材Ｈ１が配設され、パレットＰに物品を収容する際に、物品の下部が、上部傾斜板部ｈ１ｂに案内され円滑に、載置水平板部ｈ１ｅに載置されるように構成されており、また、載置水平板部ｈ１ｅに載置された物品の水平方向の移動は、上部垂直板部ｈ１ｃにより防止することができる。
【００２２】
上述したように、物品支持部材Ｈ１は、上板ｈ１と相対する側板ｈ２と前板ｈ３と底板ｈ４とを有しており、物品支持部材Ｈ１には、上板ｈ１と相対する側板ｈ２と前板ｈ３と底板ｈ４とにより囲まれた内部空間Ａ１が形成されている。
【００２３】
ｈ５は、上板ｈ１に裏面形状に沿って形成された相対するガタツキ防止用上部垂直リブであり、ガタツキ防止用上部垂直リブｈ５の水平部ｈ５ａは、底板ｈ４まで延在しておらず、水平部ｈ５ａの先端は、下部傾斜板部ｈ１ｆ付近に連結されている。ｈ６は、底板ｈ４に立設された相対するガタツキ防止用下部垂直リブであり、ガタツキ防止用上部垂直リブｈ５の下端とガタツキ防止用下部垂直リブｈ６の上端との間には、パレットＰに配設された台座ｐ４が嵌合される間隙Ｓ１が形成されているとともに、ガタツキ防止用下部垂直リブｈ６の先端部には、傾斜面ｈ６ａが形成されている。ｈ７は、相対する側板ｈ２の切欠部ｈ２ａ付近に形成された相対するガタツキ防止用側部水平リブであり、ガタツキ防止用側部水平リブｈ７の先端部には、傾斜面ｈ７ａが形成されている。ｈ８は、上板ｈ１と前板ｈ３と底板ｈ４とにより形成される隅部に形成された相対するガタツキ防止用奥部垂直リブである。
【００２４】
上述した相対するガタツキ防止用上部垂直リブｈ５の下端と相対するガタツキ防止用下部垂直リブｈ６の上端と相対するガタツキ防止用側部水平リブｈ７の先端と相対するガタツキ防止用奥部垂直リブｈ８とに囲まれた、台座ｐ４が嵌合される台座用嵌合空間が形成されるように構成されている。
【００２５】
ｈ９は、底板ｈ４の先端部に立設された嵌合突部であり、嵌合突部ｈ９の前板ｈ３と反対側に位置する面は、下方から上方に、前板ｈ３方向に傾斜した傾斜面ｈ９ａが形成されている。嵌合突部ｈ９の上面ｈ９ｂは、ガタツキ防止用下部垂直リブｈ６の上端より、上方に位置するように構成されている。
【００２６】
次に、図６〜図８を用いて、パレットＰを形成する外側梁材ｐ１や内側梁材ｐ３に取着された台座ｐ４への物品支持部材Ｈ１の取り付けについて説明する。なお、以下の説明においては、外側梁材ｐ１や内側梁材ｐ３を、単に、梁材と称し、符号ｐが付されている。
【００２７】
先ず最初に、図６に示されているように、物品支持部材Ｈ１の前板ｈ３と反対側に位置する側部と梁材ｐに取着された台座ｐ４とが対向するように配置する。次いで、物品支持部材Ｈ１を、台座ｐ４方向に移動させて、台座ｐ４を、ガタツキ防止用上部垂直リブｈ５の下端と相対するガタツキ防止用下部垂直リブｈ６の上端と相対するガタツキ防止用側部水平リブｈ７の先端と相対するガタツキ防止用奥部垂直リブｈ８とに囲まれた台座用嵌合空間に、台座ｐ４が嵌合される。この物品支持部材Ｈ１が、台座ｐ４に取り付けられた際には、物品支持部材Ｈ１に形成された嵌合突部ｈ９が、台座ｐ４の透孔ｐ４ａに嵌合されるように構成されており、簡単には、物品支持部材Ｈ１が、台座ｐ４から取り外されないように構成されている。
【００２８】
なお、物品支持部材Ｈ１を、梁材ｐに取り付ける際に、ガタツキ防止用下部垂直リブｈ６の先端部には、傾斜面ｈ６ａが形成されており、また、ガタツキ防止用側部水平リブｈ７の先端部には、傾斜面ｈ７ａが形成されており、更に、嵌合突部ｈ９にも傾斜面ｈ９ａが形成されているので、台座ｐ４は、これらの傾斜面ｈ６ａ、ｈ７ａ、ｈ９ａに案内されることになるので、台座ｐ４への物品支持部材Ｈ１への取り付けが容易になる。
【００２９】
上述したように、梁材ｐに取着された台座ｐ４に、物品支持部材Ｈ１を取り付ける際には、従来の物品支持具取り付け用パレットのように、物品支持部材Ｈ１を、ボルト・ナット等により取着することがないので、物品支持部材Ｈ１のパレットＰへの取り付け作業を、簡単に、且つ、迅速に行なうことができるので、物品支持部材Ｈ１のパレットＰへの取り付け作業の作業性が向上する。
【００３０】
また、物品支持部材Ｈ１を、略水平状の載置部Ｈ１ａと、該載置部Ｈ１ａの一端部に略垂直に形成された略垂直な位置決め部Ｈ１ｂとにより構成したので、物品支持部材Ｈ１を小型化することができ、物品支持部材Ｈ１のパレットＰへの取り付け位置の自由度が増加する。
【００３１】
更に、物品支持部材Ｈ１の上板ｈ１と相対する側板ｈ２と前板ｈ３と底板ｈ４とにより囲まれた内部空間Ａ１には、ガタツキ防止用上部垂直リブｈ５、ガタツキ防止用下部垂直リブｈ６、ガタツキ防止用側部水平リブｈ７及びガタツキ防止用奥部垂直リブｈ８が形成されているので、台座ｐ４に取り付けられた物品支持部材Ｈ１のガタツキを抑制することができ、ひいては、物品支持部材Ｈ１に載置された物品のガタツキを抑制することができる。
【００３２】
なお更に、台座ｐ４に穿設された透孔ｐ４ａに、物品支持部材Ｈ１の底板ｈ４に立設された嵌合突部ｈ９が嵌合されるように構成されているので、台座ｐ４から、物品支持部材Ｈ１が外れるようなことを防止することができるとともに、台座ｐ４に対して、物品支持部材Ｈ１がガタつくようなことを抑制することができる。また、嵌合突部ｈ９が、物品支持部材Ｈ１に載置された物品の負荷を、直接に受けることがないので、嵌合突部ｈ９の損傷を防止することができる。
【００３３】
図９には、一例として、一方の外側梁材ｐ１と該外側梁材ｐ１に平行な内側梁材ｐ３とに、それぞれ、２個ずつ取着された台座ｐ４に、物品支持部材Ｈ１を取り付けた例が示されており、物品が、物品支持部材Ｈ１に載置される際には、物品支持部材Ｈ１の上板ｈ１を形成する上部傾斜板部ｈ１ｂに案内されながら下降され、円滑に、載置水平板部ｈ１ｅに載置されることになる。物品支持部材Ｈ１に載置された物品が、架橋梁材ｐ２に沿って移動しようとした際には、物品が、上部垂直板部ｈ１ｃに当接し、物品の水平移動を防止することができる。
【００３４】
また、物品が、外側梁材ｐ１や内側梁材ｐ３に沿って、水平移動することを防止するためには、図９に点線で示されているように、相対する架橋梁材ｐ２に、台座ｐ４を介して物品支持部材Ｈ１を取り付けることにより、このような水平移動を防止することができる。
【００３５】
次に、図１０〜図１５を用いて、本発明の別の実施例について説明する。
【００３６】
本実施例においては、図１０に示されているように、裏面に、溝や凹部が形成されている物品Ｃの物品支持部材Ｈ１が取り付けられたパレットＰへの載置する場合に関する実施例に関するものである。この実施例においては、物品Ｃの裏面には、一方の相対する側壁ｃ１に沿って、２条の溝ｃ２が形成されている。
【００３７】
物品Ｃが、パレットＰに載置される際には、パレットＰに取り付けられた物品支持部材Ｈ１に形成されている位置決め部Ｈ１ｂが、溝ｃ２に嵌合されることになるが、物品Ｃの溝ｃ２と位置決め部Ｈ１ｂとの嵌合に時間がかかることになる。本実施例においては、このような課題を解決するために、パレットＰに、目印部材Ｈ２を取り付けたものである。
【００３８】
本実施例においては、パレットＰには、上述した図１に示されているパレットＰに取着されている物品支持部材Ｈ１用の台座ｐ４に加え、台座ｐ４が取着されていない外側梁材ｐ１に、２個の目印部材Ｈ２用の台座ｐ４’が取着されている。
【００３９】
目印部材Ｈ２は、物品支持部材Ｈ１と、外面形状が異なるだけで、他の構成は同じであるので、外面形状の相違についてのみ説明する。
【００４０】
目印部材Ｈ２の上面は、平坦面ｈ１’として形成されており、また、目印部材Ｈ２には、外側梁材ｐ１に沿った平坦な垂直面ｈ２’と外側梁材ｐ１に垂直な平坦な垂直面ｈ３’とにより、目印用切欠部ｈ４’が形成されている。なお、目印部材Ｈ２の台座ｐ４’の取り付けについては、物品支持部材Ｈ１と同じであるので、その説明は省略する。
【００４１】
物品支持部材Ｈ１用の台座ｐ４や目印部材Ｈ２用の台座ｐ４’が取着されたパレットＰに物品Ｃを載置する際には、目印部材Ｈ２の目印用切欠部ｈ４’に、物品Ｃの対応する角部ｃ３を嵌合させ、その後、物品Ｃを、パレットＰに載置することにより、図１５に示されているように、物品Ｃに形成された溝ｃ２に、支持具部材Ｈ１に形成されている位置決め部Ｈ１ｂが嵌合されることになる。
【００４２】
上述したように構成することにより、裏面に、溝や凹部が形成されている物品ＣのパレットＰへの載置を、確実に、且つ、迅速に行なうことができる。
【００４３】
また、上述したように、目印部材Ｈ２を、パレットＰに取り付けることにより、物品Ｃの外側梁材ｐ１に沿った水平方向の移動を防止することができる。
【００４４】
図１６に示されている実施例は、上述した実施例において、台座ｐ４に穿設された透孔ｐ４ａを省略するとともに、該透孔ｐ４ａに嵌合される、物品支持部材Ｈ１に形成された嵌合突部ｈ９を省略したものである。
【００４５】
この実施例においては、台物品支持部材Ｈ１のガタツキ防止用上部垂直リブｈ５の角部ｈ５ｂ等の適当な個所に、下方に延在する係止突起ｈ１０を形成したものである。
【００４６】
台座ｐ４が、台物品支持部材Ｈ１に形成された上述した台座用嵌合空間に嵌合された際には、上述した台物品支持部材Ｈ１のガタツキ防止用上部垂直リブｈ５の角部ｈ５ｂ等の適当な個所に形成された係止突起ｈ１０が、台座ｐ４の垂直側面ｐ４ｂに係止されるように構成されている。
【符号の説明】
【００４７】
Ｃ・・・・・・・・・・・・・・・・・物品
Ｈ１・・・・・・・・・・・・・・・・物品支持部材
ｈ５〜ｈ８・・・・・・・・・・・・・ガタツキ防止リブ
ｈ９・・・・・・・・・・・・・・・・嵌合突部
ｈ１０・・・・・・・・・・・・・・・係止突起
Ｈ２・・・・・・・・・・・・・・・・目印部材
Ｐ・・・・・・・・・・・・・・・・・パレット
ｐ・・・・・・・・・・・・・・・・・梁材
ｐ４・・・・・・・・・・・・・・・・台座
ｐ４ａ・・・・・・・・・・・・・・・透孔
【図１】
0005697151.tif 000002
【図２】
0005697151.tif 000003
【図３】
0005697151.tif 000004
【図４】
0005697151.tif 000005
【図５】
0005697151.tif 000006
【図６】
0005697151.tif 000007
【図７】
0005697151.tif 000008
【図８】
0005697151.tif 000009
【図９】
0005697151.tif 000010
【図１０】
0005697151.tif 000011
【図１１】
0005697151.tif 000012
【図１２】
0005697151.tif 000013
【図１３】
0005697151.tif 000014
【図１４】
0005697151.tif 000015
【図１５】
0005697151.tif 000016
【図１６】
0005697151.tif 000017